(57)【特許請求の範囲】
【請求項１】
ベース（１）、腕部（２）、手掌部（３）及び手指部を含み、前記ベース（１）、前記腕部（２）、前記手掌部（３）及び前記手指部が順次接続されて、前記手掌部（３）が掌部（４）及び前記掌部（４）と接続された手背部（５）を含み、前記手指部が親指部（６）、人差し指部（７）、中指部（８）、薬指部（９）及び小指部（１０）を含み、前記手背部（５）上には第１凹部（１１）が設けられ、前記第１凹部（１１）の深さが０．３〜１．５ｍｍであり、
前記親指部（６）の前記手背部（５）に位置する側には、第２凹部（１２）が設けられ、前記人差し指部（７）の前記手背部（５）に位置する側には、第２凹部（１２）が設けられ、又は、前記親指部（６）、前記人差し指部（７）、前記中指部（８）、前記薬指部（９）及び前記小指部（１０）の手背部（５）に位置する側には、それぞれ第２凹部（１２）が設けられており、
前記第２凹部（１２）と前記第１凹部（１１）とが接続され、前記第２凹部（１２）の深さが０．３〜１．５ｍｍであり、
前記第１凹部（１１）と前記第２凹部との表面（１２）には、それぞれ親水性コーティングが施され、前記親水性コーティングの厚さは１〜３００μｍであることを特徴とする不等壁厚手袋を製造するための雌型金型。
【請求項２】
前記掌部（４）と前記手背部（５）とが、一体成型されていることを特徴とする請求項１に記載の不等壁厚手袋を製造するための雌型金型。
【請求項３】
前記腕部（２）及び前記手掌部（３）のそれぞれが中空構造であることを特徴とする請求項１に記載の不等壁厚手袋を製造するための雌型金型。
【請求項４】
前記腕部（２）、前記手掌部（３）及び前記手指部のそれぞれは、セラミックス材料又は金属材料で製造されていることを特徴とする請求項１に記載の不等壁厚手袋を製造するための雌型金型。
【請求項５】
前記親指部（６）における前記第２凹部（１１）の面積は、前記親指部（６）の前記手背部（５）に位置する側の面積の０．１〜０．７倍であることを特徴とする請求項１に記載の不等壁厚手袋を製造するための雌型金型。
【請求項６】
前記人差し指部（７）における前記第２凹部（１１）の面積は、前記人差し指部（７）の前記手背部（５）に位置する側の面積の０．１〜０．７倍であることを特徴とする請求項１に記載の不等壁厚手袋を製造するための雌型金型。
【請求項７】
前記親指部（６）、前記人差し指部（７）、前記中指部（８）、前記薬指部（９）及び前記小指部（１０）における前記第２凹部（１２）の面積のそれぞれは、前記親指部（６）、前記人差し指部（７）、前記中指部（８）、前記薬指部（９）及び前記小指部（１０）の前記手背部（５）に位置する側の面積の０．１〜０．７倍であることを特徴とする請求項１に記載の不等壁厚手袋を製造するための雌型金型。
【請求項８】
前記親水性コーティングの接触角が２〜３０°であることを特徴とする請求項１に記載の不等壁厚手袋を製造するための雌型金型。
【請求項９】
請求項１〜８のいずれか１項に記載の不等壁厚手袋を製造するための雌型金型によって製造された手袋。
【発明の詳細な説明】
【技術分野】
【０００１】
本発明は防護器具分野に関し、特に放射線防護製品分野に関し、具体的には不等壁厚手袋を製造するための雌型金型及びそれによって製造された手袋である。
【０００２】
本発明は不等壁厚防護手袋を製造することでき、特に不等壁厚Ｘ線防護手袋の製造について、製造された手袋が画像下治療及び整形外科手術中に医師の手背部位を防護することに使用でき、より良い防護効果と応用可能性を有する。
【背景技術】
【０００３】
原子力産業及び核医学に使用される放射線防護用ゴム手袋は等壁厚手袋であり、一般的には通常手袋金型を用いて全体浸漬法によって製造される。
【０００４】
より良好な効果を達成するため、通常手袋金型を用いて全体浸漬法によって製造された手袋は、一般的にはより重厚で、手術を行う場合、医師の操作感に影響を与える。
【０００５】
特許文献１は、離型が容易なフィルム手袋金型を公開し、その手袋金型の手掌部分が粗い表面状であり、粗い表面が均一に分布した円弧状凹み部に構成されることにより、そのフィルム手袋を離型しやすくなる。
【０００６】
特許文献２は、浸漬式のステンレス鋼手袋金型を公開し、その手袋金型は一体構造であり、金型の腕部にはアームサポートが設置され、その金型を簡単に製造できるという特徴を有する。
【０００７】
特許文献３は、ＴＰＥ手袋の製造に用いる金型を公開し、その金型が手掌金型及び腕金型を含み、腕金型の上に一周分の内凹リング溝が形成され、その金型により製造された手袋の開け口部分が窄まった形をしており、その金型により製造された手袋が使用者の腕を容易に締め付ける。
【先行技術文献】
【特許文献】
【０００８】
【特許文献１】中国実用新案公告第９７２２５７９３．４号明細書
【特許文献２】中国実用新案公告第２００６２０１２４７４４．５号明細書
【特許文献３】中国特許出願公開第２０１４１０５７８６０１．０号明細書
【発明の概要】
【発明が解決しようとする課題】
【０００９】
出願人は研究により、Ｘ線の臨床応用において、Ｘ線が外科医の手背部分に対する放射線損傷にとって最も重大であることを発見した。
【００１０】
しかしながら、既存の等壁厚鉛防護手袋を使用する場合、柔軟性が乏しく、医師にとって柔軟な操作性という要求を満たすことができないため、医師は既存の等壁厚鉛防護手袋を着用したくないことがある。
【００１１】
従って、より優れたＸ線防護効果を有し、医師にとって柔軟な操作性という要求を満たす防護手袋すなわち不等壁厚手袋を開発することが急務である。
【００１２】
この目的のために、本発明は不等壁厚防護手袋を製造するための金型を提供する。
【課題を解決するための手段】
【００１３】
本発明の目的は、以下のとおりである。
【００１４】
従来のＸ線防護に用いられる等壁厚手袋が普通の金型を浸漬して製造され、不等壁厚手袋を製造できないという問題点について、不等壁厚手袋を製造するための雌型金型及びそれによって製造された手袋を提供する。
【００１５】
本発明の雌型金型を用いると、手袋を局所的に厚くすることを実現できる。従って有効な防護を可能としつつ、手袋の柔軟性が確保される。
【００１６】
同時に、本発明の雌型金型を用いて製造された不等壁厚手袋によって手袋の手背を局所的に厚くすることが実現できる、画像下治療などの環境で医師の手背を防護する要件を満たし、特にＸ線に対する防護要件を満たすことができる。
【００１７】
本発明は設計が妥当であり、使用に便利で、一回のみ浸漬すると不等壁厚手袋を製造することができ、より良い応用可能性を有する。
【００１８】
上記の目的を実現するため、本発明は以下のとおりの技術手段を採用する。
【００１９】
不等壁厚手袋を製造するための雌型金型であって、ベース、腕部、手掌部（掌と手の甲とに対応する部分）及び手指部を含む。前記ベース、腕部、手掌部及び手指部が順次接続され、前記手掌部が掌部（掌のみに対応する部分）及び掌部と接続された手背部（手の甲のみに対応する部分）を含み、前記手指部が親指部、人差し指部、中指部、薬指部及び小指部を含み、前記手背部上には第１凹部が設けられ、前記第１凹部の深さが０．３〜１．５ｍｍである。
【００２０】
前記親指部の手背部側に第２凹部が設けられており、前記人差し指部の手背部側に第２凹部が設けられており、又は、前記親指部、人差し指部、中指部、薬指部及び小指部の手背部側にそれぞれ第２凹部が設けられている。
【００２１】
前記第２凹部が第１凹部に接続され、前記第２凹部の深さは０．３〜１．５ｍｍである。
【００２２】
前記第１凹部及び第２凹部の表面にそれぞれ親水性コーティングが形成されており、前記親水性コーティングの厚さは１〜３００μｍである。
【００２３】
前記掌部と手背部が一体成型されたものである。
【００２４】
前記腕部、手掌部がそれぞれ中空構造を有している。
【００２５】
前記腕部、手掌部及び指部がそれぞれセラミックス材料又は金属材料で製造されたものである。
【００２６】
前記親指部上の第２凹部の面積が親指部の手背部側の面積の０．１〜０．７倍である。
【００２７】
前記人差し指部上の第２凹部の面積が人差し指部の手背部側の面積の０．１〜０．７倍である。
【００２８】
前記親指部、人差し指部、中指部、薬指部及び小指部上の第２凹部の面積がそれぞれ親指部、人差し指部、中指部、薬指部及び小指部の手背部側の面積の０．１〜０．７倍である。
【００２９】
前記親水性コーティングの接触角が２〜３０°である。
【００３０】
前記不等壁厚手袋を製造するための雌型金型によって製造された手袋である。
【００３１】
前記問題について、本発明が不等壁厚手袋を製造するための雌型金型とそれによって製造された手袋を提供する。
【００３２】
その雌型金型がベース、腕部、手掌部及び指部を含み、ベース、腕部、手掌部及び指部が順次接続されてなるものである。
【００３３】
そのうち、手掌部が掌部、及び、掌部と接続された手背部を含み、指部が親指部、人差し指部、中指部、薬指部及び小指部を含み、手背部上に第１凹部が設けられ、第１凹部の深さが０．３〜１．５ｍｍである。
【００３４】
この金型を用いて製造された手袋の手背部分を厚くすることができ、従って、医師の手背を有効に防護することを可能としつつ、手袋の他の部分の柔軟性を確保して、効果的に防護及び使用の柔軟性を兼ね備えることを特徴として、より良い応用可能性を有する。
【００３５】
本発明に提供された雌型金型が不等壁厚手袋を製造することができ、従って手袋の手背を局所的に厚くすることを実現し、画像下治療等の環境で医師の手背を防護する要件を満たす。
【００３６】
更に、親指部の手背部側に第２凹部が設けられ、又は人差し指品の手背部側に第２凹部が設けられ、第２凹部と第１凹部が接続されて、第２凹部の深さが０．３〜１．５ｍｍである。
【００３７】
また、親指部、人差し指部、中指部、薬指部及び小指部のそれぞれ手背部側に第２凹部が設けられ、第２凹部と第１凹部が接続され、第２凹部の深さが０．３〜１．５ｍｍであり、親指部、人差し指部、中指部、薬指部及び小指部上にある第２凹部の面積は、それぞれ親指部、人差し指部、中指部、薬指部及び小指部の手背部側の面積の０．１〜０．７倍である。
【００３８】
前記構造を採用して、雌型金型の後半指節背及び手背部を凹ませて、指の前半指節背より薄くて、斜面で徐々に凹ませている状態で、ラテックスを収容できる浅溝を形成し（すなわち第１凹部及び第２凹部）、浅溝の深さが０．３〜１．５ｍｍである。
【００３９】
この金型を用いて製造された手袋は、手袋の手背及び手背と接続される後半指節を局所的に厚くなり、他の部分が薄いことにより、手袋の柔軟性を確保しつつ、効果的に手背及び後半指節を防護して、より良い防護効果を有する。
【００４０】
さらに、第１凹部及び第２凹部の表面に親水性コーティングがそれぞれ形成されており、親水性コーティングの厚さは１〜３００μｍである。
【００４１】
親水性コーティングの接触角が２〜３０°である
【００４２】
固体表面の親水性又は濡れ性は、表面の化学組成及び表面マイクロモルフォロジーによって決定され、一般的には接触角の大きさによって測定される。
【００４３】
接触角は、固体表面上に滴り落ちた液滴による三相界面で形成される角度を指す。
【００４４】
一般的には、接触角が９０°より小さい表面は、親水性表面と定義され、表面が濡れ性を有する。逆に接触角が９０°より大きい表面は、疎水性表面と定義され、表面が濡れ性を有しない。表面の接触角が０°に近い場合は、超親水性表面と呼ばれる。
【００４５】
本発明では、第１凹部及び第２凹部の表面に親水性コーティングがそれぞれ形成されており、多孔質吸水性表面を形成する。
【００４６】
親水性コーティングを設けることにより、第１凹部及び第２凹部の表面の接触角が２〜３０°となり、雌型金型の他の表面には親水性コーティングが形成されていないため、雌型金型の浅溝（すなわち第１凹部及び第２凹部）以外の他の表面の接触角は３０〜７０°である。
【００４７】
上記構成に基づいて、第１凹部及び第２凹部の表面の親水性又は濡れ性が他部分の表面より優れているため、親水性が強くてより多い凝固剤及びラテックスを負荷させることができる。
【００４８】
本発明の手袋製造方法によれば、一回のみの浸漬で成型可能である。
【００４９】
この雌型金型を用いて不等壁厚手袋を製造する概略手順は以下のとおりである。
【００５０】
（１）雌型金型を洗浄して乾燥させた後、凝固剤に浸漬してから乾燥させる。（２）手順（１）の雌型金型をゴムラテックス又は浸漬エマルジョンに浸漬した後、硬化して乾燥させ、最初のビレットを得る。（３）手順（２）の雌型金型を加硫、脱型及び乾燥させる。仕上がった手袋は手背部分が厚く、他の部分がより薄い。
【００５１】
本発明は不等壁厚防護手袋を製造することでき、特に不等壁厚Ｘ線防護手袋の製造について、製造された手袋が画像下治療及び整形外科手術を行う際に医師の手背部位の防護に使用でき、より良い防護効果と応用可能性を有する。
【００５２】
また、腕部及び手掌部がそれぞれ中空構造を有しており、掌部及び手背部が一体成型されたものである。
【００５３】
中空構造を採用することで金型の質量を軽くすることに有益である。
【００５４】
腕部、手掌部及び指部がそれぞれセラミックス材料又は金属材料で製造される。
【００５５】
セラミック材料を用いて雌型金型を作製する場合には、静圧成型、通常鋳造、ロストワックス鋳造、焼結成型又はホットダイカストなどの方法を採用することができ、金属材料を用いて雌型金型を作製する場合は電鋳、通常鋳造、機械加工、ロストワックス鋳造又はラピッドプロトタイピングなどの方法で作製できる。
【００５６】
前記の構造により、本発明に実現された手袋を局所的に厚くするメカニズムが主に以下の三つの内容に基づく。
【００５７】
一つ目は第１凹部及び第２凹部がより多いラテックスを収容できるため、厚くすることを実現すること、二つ目は第１凹部及び第２凹部の表面の親水性がより良好であり、より多いラテックスを負荷させることができること、三つ目は第１凹部及び第２凹部の表面の親水性がより優れているため、より多い凝固剤を負荷させることができ、凝固剤の吸水性が良いので、ラテックスを浸漬したらもっとラテックスを負荷させることができることである。
【００５８】
前記三つの作用により、本発明が手袋を局所的に厚くすることをより良好に実現でき、防護効果に優れ、柔軟な操作性がある不等壁厚手袋を製造できる。
【００５９】
また、本発明は、前記不等壁厚手袋を製造するための雌型金型によって製造された手袋を提供する。
【００６０】
手袋の肉厚部分の厚さが０．３〜２．５ｍｍであってよく、非肉厚部分の厚さが０．１〜０．３ｍｍであってよい。
【発明の効果】
【００６１】
要するに、本発明の雌型金型を用いると不等壁厚手袋を製造することができ、製造された防護手袋は防護効果が良好であり柔軟な操作性があるという特徴を有し、特にＸ線に対する防護要件を満たす。
【００６２】
本発明の雌型金型が第１凹部及び第２凹部を有することにより、局所防護を実現でき、且つ指腹部分が比較的薄いため、柔軟な操作性を確保できる。
【００６３】
本発明によって製造された手袋は特に画像下治療及び整形外科手術に適し、手袋の柔軟性を確保できるし、有効な防護もできるし、従って広範な医療従事者に実用的且つ有効な保護を提供する。
【００６４】
本発明によって製造された手袋の肉厚部分の厚さが０．３〜２．５ｍｍであってよく、非肉厚部分の厚さが０．１〜０．３ｍｍであってよい。
【図面の簡単な説明】
【００６５】
以下、実施形態を介して図面と併せて本発明について説明する。
【００６６】
【図１】実施形態１の側面図である。
【図２】図１の正面図である。
【図３】図２のＡ−Ａ方向の断面図である。
【図４】図２のＢ−Ｂ方向の断面図である。
【図５】実施形態２の正面図である。
【図６】図５のＡ−Ａ方向の断面図である。
【図７】図５のＢ−Ｂ方向の断面図である。
【発明を実施するための形態】
【００６７】
互いに矛盾する特徴／ステップ以外、本明細書に開示されるすべて特徴及び方法や過程中のステップを任意に組み合わせることができる。
【００６８】
本明細書に開示されたいずれの特徴も、特に記載しない限り、他の同等の特徴又は同様の目的の特徴に置き換えることができる。
【００６９】
すなわち、特に記載しない限り、各特徴は一連の同等又は同様の特徴の一例としているだけである。
【００７０】
＜実施形態１＞
図面に示すように、雌型金型は、ベース、腕部、手掌部  及び指部を含む。ベース、腕部、手掌部及び指部が順次接続されて一体構成をしている。腕部と手掌部が中空構造を有している。
【００７１】
指部は、親指部、人差し指部、中指部、薬指部及び小指部を含む。
【００７２】
手背部の上に第１凹部が設けられ、親指部、人差し指部、中指部、薬指部及び小指部のそれぞれ手背部側には、第２凹部が設けられている。第２凹部が第１凹部に接続されている。第１凹部及び第２凹部の深さがそれぞれ０．３〜１．５ｍｍである。
【００７３】
親指部、人差し指部、中指部、薬指部及び小指部上にある第２凹部の面積は、それぞれ親指部、人差し指部、中指部、薬指部及び小指部の手背部側の面積の０．５倍である。
【００７４】
第１凹部及び第２凹部の表面にそれぞれ親水性コーティングが形成されている。親水性コーティングの厚さは１〜３００μｍである。
【００７５】
本実施形態において、雌型金型はロストワックス鋳造法よりＡｌ2Ｏ3セラミックス材料で製造されている。雌型金型の表面の接触角は３０〜７０°である。
【００７６】
プラズマスプレー法より、ＴｉＯ2セラミックス材料で親水性コーティングが形成されている。親水性コーティングによって、接触角が２〜３０°の多孔質吸水性表面が形成されている。
【００７７】
本実施形態において、親指部、人差し指部、中指部、薬指部及び小指部の手背部側にそれぞれ第２凹部が設けられている。すなわち指部の前半指節背側が通常の厚さであり、手背部と接続された後半指節背側を凹ませることにより、手袋の指部分が肉厚になることを実現する。
【００７８】
図３は図２のＡ−Ａ方向の断面図を示している。図３から分かるように、手背部の上に第１凹部が設けられている。第１凹部によって手袋の手背部分を厚くすることができる。
【００７９】
また、ベース上には接続孔が設けられている。その接続孔は貫通孔又はねじ穴であり、接続孔によって容易に手袋の金型をベースに固定することができる。
【００８０】
また、本実施形態の雌型金型を用いて製造される手袋の製造手順は以下の通りである。
【００８１】
（１）雌型金型を洗浄して乾燥させた後、質量分率が３〜２０％のＣａＣｌ2水溶液である凝固剤に浸漬する。その後乾燥させる。
【００８２】
（２）手順（１）の雌型金型をエマルジョンに浸した後、成型して乾燥させる。
【００８３】
浸漬エマルジョンが典型的であるが限定されない、主に天然ゴムラテックス、配合剤及び放射線防護材料Ｂｉ2Ｏ3を含むスラリーの混合物で構成され、配合剤が主に加硫剤、加硫助剤、酸化防止剤、補強剤及び軟水の混合物で構成される。
【００８４】
（３）手順（２）の雌型金型を加硫し、脱型し、乾燥させて手袋完成品を得る。
【００８５】
本実施形態において製造された手袋は、肉厚部分の厚さが０．３〜２．５ｍｍであり、非肉厚部分の厚さが０．１〜０．３ｍｍである。
【００８６】
＜実施形態２＞
図面に示すように、雌型金型は、ベース、腕部、手掌部及び指部を含む。ベース、腕部、手掌部及び指部が順次接続されて一体構成をしている。腕部と手掌部が中空構造を有している。
【００８７】
指部は、親指部、人差し指部、中指部、薬指部及び小指部を含む。
【００８８】
本実施形態において、手背部上に第１凹部が設けられ、親指部及び人差し指部のそれぞれの手背部側に第２凹部が設けられている。第２凹部が第１凹部に接続されている。第１凹部及び第２凹部の深さがそれぞれ０．３〜１．５ｍｍである。
【００８９】
実施形態１と異なり、本実施形態では親指部及び人差し指部のみに第２凹部が設けられている。
【００９０】
親指部、人差し指部上にある第２凹部の面積がそれぞれ親指部、人差し指部の手背部側の面積の０．５倍である。
【００９１】
第１凹部及び第２凹部の表面には親水性コーティングがそれぞれ形成されていて、親水性コーティングの厚さは１００〜２００μｍである。
【００９２】
本実施形態において、雌型金型がロストワックス鋳造法によりステンレス鋼材料で製造され、雌型金型の表面の接触角が３０〜７０°となっている。
【００９３】
親水性コーティングがプラズマスプレー法より、ステンレス鋼材料で形成され、親水性コーティングが多孔質吸水性表面を形成し、接触角が２〜３０°となっている。
【００９４】
また、本実施形態の雌型金型を用いて製造される手袋の製造手順は以下の通りである。
【００９５】
（１）雌型金型を洗浄して乾燥させた後、質量分率が３〜２０％のＣａＣｌ2水溶液である凝固剤に浸漬する。その後乾燥させる。
【００９６】
（２）手順（１）の雌型金型をエマルジョンに浸した後、成型して乾燥させる。
【００９７】
浸漬エマルジョンが典型的であるが限定されない、主にカルボキシ基ブチロニトリルラテックス、配合剤及び放射線防護材料ＷＯ3を含むペーストの混合物で構成され、配合剤が主に加硫剤、加硫助剤、補強剤及び軟水の混合物で構成される。
【００９８】
（３）手順（２）の雌型金型を加硫し、脱型し、乾燥させて手袋完成品を得る。
【００９９】
本実施形態において製造された手袋は、肉厚部分の厚さが０．３〜２．５ｍｍであり、非肉厚部分の厚さが０．１〜０．３ｍｍである。
【０１００】
本実施形態における雌型金型を一回のみ浸漬することで不等壁厚手袋を製造でき、操作が便利、簡単且つ迅速であり、共に製造された不等壁厚手袋が操作の柔軟性を確保することを可能としつつ、効果的に医師を保護することができ、特にＸ線に対する防護要件を満たすことができ、より良い応用可能性を有する。
【０１０１】
本発明は前記具体的な実施形態に限定されていない。本発明は、本明細書に開示された任意の新しい特徴又は任意の新しい組み合わせ、及び開示された任意の新しい方法又は過程の手順、又は任意の新しい組み合わせに拡張することができる。
【符号の説明】
【０１０２】
１  ベース
２  腕部
３  手掌部
４  掌部
５  手背部
６  親指部
７  人差し指部
８  中指部
９  薬指部
１０  小指部
１１  第１凹部
１２  第２凹部
【図１】
0006670393.tif 000002
【図２】
0006670393.tif 000003
【図３】
0006670393.tif 000004
【図４】
0006670393.tif 000005
【図５】
0006670393.tif 000006
【図６】
0006670393.tif 000007
【図７】
0006670393.tif 000008